(57)【特許請求の範囲】
【請求項１】
基礎杭に基礎又は柱を構成する鉄筋を接続するにあたり、
上記基礎杭として上端にリング状鉄板を有するコンクリート杭を用い、
上記鉄筋に、外周面に螺旋状の盛り上がり部分が一定のピッチで連続して又は周方向に間欠的に形成されたねじ節鉄筋を用いる一方、
ナットに、上記ねじ節鉄筋の盛り上がり部分と遊合し得る形状の雌ねじが形成されかつ高さが遊合されたねじ節鉄筋を保持し得る少なくとも上記ねじ節鉄筋の盛り上がり部分のピッチの３倍以上の寸法であるナットを用い、
地盤に設けられた基礎杭の上端のリング状鉄板に上記ナットを溶接し、該ナットにねじ節鉄筋の先端部分を遊合させるとともに上記ねじ節鉄筋の先端を基礎杭の上端に当接させて基礎杭に鉄筋を接続するようにしたことを特徴とする基礎杭と鉄筋の接続方法。
【発明の詳細な説明】
【０００１】
【発明の属する技術分野】
本発明は基礎杭と鉄筋の接続方法に関し、特に建設現場で作業効率よく鉄筋を基礎杭に接続できるようにした方法に関する。
【０００２】
【従来の技術】
例えば、中高層の建築構造物を建築する場合、既製コンクリート杭を地盤に打ち込み、あるいは地盤にコンクリート杭を場所打ちし、コンクリート杭の鉄筋に基礎や柱の鉄筋を定着するのが一般的であるが、コンクリート杭の鉄筋と基礎や柱の鉄筋とを直接接続するのは作業が煩雑である。
【０００３】
そこで、図４および図５に示されるように、既製コンクリート杭８０の上端にリング状の鉄板８１を固定しておき、打ち込み後のコンクリート杭上端の鉄板８１にフランジ７１付きのナット７０を溶接する一方、基礎や柱を構成する鉄筋５０の先端５１にボルト６０の端部６１を圧接溶接して一体化し、ボルト６１をフランジナット７０に螺合させて基礎や柱の鉄筋５０をコンクリート杭８０に接続する方法が提案されている。
【０００４】
【発明が解決しようとする課題】
しかし、上記従来の接続方法では建設現場から離れた場所で予め鉄筋を所定の長さに切断し、ボルト頭部を圧接溶接して準備しておく必要があり、作業効率が悪いばかりでなく、予め切断した鉄筋が長さ不足であったり、長すぎたりするという問題があった。
【０００５】
本発明はかかる問題点に鑑み、建設現場で作業効率よく鉄筋を基礎杭に接続できるようにした基礎杭と鉄筋の接続方法を提供することを課題とする。
【０００６】
【課題を解決するための手段】
本件発明者は上述の課題を解決すべく鋭意研究したところ下記の点に着目し、本発明を完成するに至った。即ち、建築構造材としての鉄筋には所定の強度を確保する上で異形鉄筋が用いられるのが一般的であるが、鉄筋には外周面に螺旋状の盛り上がり部分が一定のピッチで連続して又は周方向に間欠的に形成された、いわゆるねじ節鉄筋がある。かかるねじ節鉄筋を用い、フランジナットにねじ節鉄筋が螺合し得る雌ねじを形成し、ねじ節鉄筋をフランジナットに直接ねじ込むようにすると、従来のようなボルトは不要となる結果、ボルトと鉄筋の圧接溶接作業も不要となるとともに、作業現場において鉄筋を必要長さに切断できることが期待される。しかし、ねじ節鉄筋の螺旋状盛り上がり部分は形状精度がボルトの雄ねじのように高くなく、フランジナットとねじ節鉄筋とは遊びを有して螺合する、いわゆる遊合の状態となり、ねじ節鉄筋をフランジナットに強固に保持することができないおそれがある。
【０００７】
そこで、本発明に係る基礎杭と鉄筋の接続方法は、基礎杭に基礎又は柱を構成する鉄筋を接続するにあたり、上記鉄筋に、外周面に螺旋状の盛り上がり部分が一定のピッチで連続して又は周方向に間欠的に形成されたねじ節鉄筋を用いる一方、ナットに、上記ねじ節鉄筋の盛り上がり部分と遊合し得る形状の雌ねじが形成されかつ高さが遊合されたねじ節鉄筋を保持し得る少なくとも上記ねじ節鉄筋の盛り上がり部分のピッチの３倍以上の寸法であるナットを用い、地盤に設けられた基礎杭の上端に上記ナットを溶接し、該ナットにねじ節鉄筋の先端部分を遊合させて基礎杭に鉄筋を接続するようにしたことを特徴とする。
【０００８】
本発明の特徴の１つはねじ節鉄筋を直接ねじ込める雌ねじを有するナットを用いて鉄筋を基礎杭に接続するようにした点にある。これにより、従来のようにボルトを用いる必要がなく、又ボルトを鉄筋に圧接溶接する煩雑な作業も必要がなくなり、更には建築現場で鉄筋を必要な長さに切断できることとなる。
【０００９】
また、本発明の他の特徴はナット高さを少なくともねじ節鉄筋の盛り上がり部分のピッチの３倍以上の寸法とした点にある。これにより、ねじ節鉄筋とナットとの間に多少の遊びがあってもねじ節鉄筋はナットに確実に保持される結果、基礎杭に鉄筋を確実に接続できることとなる。ナットは余り高くなりすぎると、溶接作業性等が低下しやすい。そこで、ナットの最大高さはねじ節鉄筋の盛り上がり部分のピッチの６倍までの寸法とするのがよい。
【００１０】
基礎杭は上端にリング状鉄板を有する既製コンクリート杭を用いるのがよいが、ナットを溶接できればよいので、鋼管杭、上端に鉄板を固定した場所打ちコンクリート杭等にも適用できる。
【００１１】
本発明の接続方法に用いられるナットも新規である。即ち、本発明によれば、基礎杭の上端に溶接され、ねじ節鉄筋の先端部分が遊合されて基礎杭に鉄筋を接続するために用いられるナットであって、内面に上記ねじ節鉄筋の盛り上がり部分と遊合し得る形状の雌ねじが形成され、高さが遊合されたねじ節鉄筋を保持し得る少なくとも上記ねじ節鉄筋の盛り上がり部分のピッチの３倍以上の寸法を有することを特徴とする基礎杭と鉄筋の接続用ナットを提供することができる。
【００１２】
ナットの外形状は特に限定されないが、設置安定性及び溶接性を確保する上で、ナットの端部に設置安定用及び溶接用のフランジを形成するのがよい。
【００１３】
【発明の実施の形態】
以下、本発明を図面に示す具体例に基づいて詳細に説明する。図１ないし図３本発明に係る基礎杭と鉄筋の接続方法の好ましい実施形態を模式的に示す。本例の方法で基礎杭に鉄筋を接続する場合、フランジナット１０とねじ節鉄筋２０とを用いる。ねじ節鉄筋２０は図２に示されるように、その外周面に螺旋状の盛り上がり部分２１を一定のピッチで連続して又は周方向に間欠的に形成して形態をなしている。
【００１４】
フランジナット１０は図３に示されるように、六角柱状のナット本体１１の下半部に円柱状のフランジ１２を一体に形成した形態をなし、その内面にはねじ節鉄筋２０の螺旋状盛り上がり部分２１が所定の遊びをもって螺合し得る雌ねじ１３が形成されている。また、フランジナット１０の高さは少なくともねじ節鉄筋２０の盛り上がり部分２１のピッチの３倍以上で、最大６倍までの寸法となっている。
【００１５】
本例では地盤４０に打ち込むべき基礎杭には既製コンクリート杭３０が用いられる。既製コンクリート地位３０には鉄筋３１が入れられ、その上端にはリング状鉄板３２が固定されている。
【００１６】
既製コンクリート杭３０に基礎や柱を構成する鉄筋を接続する場合、図１に示されるように、まず既製コンクリート杭３０の上端の鉄板３２にフランジナット１０を立てて載せ、両者を溶接によって固定する。
【００１７】
他方、鉄筋２０については建設現場において必要な長さを求め、鉄筋２０を切断し、得られた鉄筋２０をフランジナット１０に直接ねじ込むと、鉄筋２０を既製コンクリート杭３０に接続できる。
【００１８】
本件発明者らは、外径１９ｍｍのねじ節鉄筋を用いる一方、フランジナットは高さ３５ｍｍのものを用意し、１８．５ｍｍの下穴をあけ、ピッチ８ｍｍ、２面幅３２ｍｍの雌ねじを形成し、本発明の方法によって既製コンクリート杭に鉄筋を接続したところ、ねじ節鉄筋とフランジナットとの間の遊びが問題とはなることはなく、強固な接続が得られることが確認された。
【図面の簡単な説明】
【図１】  本発明に係る基礎杭と鉄筋の接続方法の好ましい実施形態を模式的に示す図である。
【図２】  上記実施形態におけるねじ節鉄筋を示す図である。
【図３】  上記実施形態におけるフランジナットを示す図である。
【図４】  従来の接続方法において用いられる異形鉄筋を示す図である。
【図５】  従来の方法による接続方法を模式的に示す図である。
【符号の説明】
１０    フランジナット
１１    ナット本体
１２    フランジ
１３    雌ねじ
２０    ねじ節鉄筋
２１    盛り上がり部分
３０    既製コンクリート杭（基礎杭）
３１    鉄筋
３２    リング状鉄板
４０    地盤
【図１】
0003716382.tif 000002
【図２】
0003716382.tif 000003
【図３】
0003716382.tif 000004
【図４】
0003716382.tif 000005
【図５】
0003716382.tif 000006